(57)【特許請求の範囲】
【請求項１】
シリンダケース内に挿入されるプラグと、
ワイヤケーブルのインナケーブルが連結されるケーブル連結部を備えてプラグの後端に連結されるレバーと、
ケース取付部において前記シリンダケースに固定されてアウタケーブルを保持するケーブル保持金具とを有し、
前記ケーブル保持金具は、ケース取付部中央部においてシリンダケースにネジ止めされるとともに、シリンダケースに形成される回り止め部にケース取付部側縁を嵌合させてネジ軸回りの回転が規制されるシリンダ錠。
【請求項２】
前記シリンダケースにはケーブル保持金具のケース取付部側縁に係止してネジ軸に直交する軸回りの回転を規制する浮き上がり規制片が設けられる請求項１記載のシリンダ錠。
【請求項３】
前記回り止め部と浮き上がり規制片は、シリンダケース外周に膨隆され、表面に平面状の金具支承面を形成した金具取付ステージ上に集中配置される請求項２記載のシリンダ錠。
【請求項４】
前記回り止め部は、ケーブル保持金具のケース取付部側縁に形成される嵌合用切欠が嵌合可能な突起状に形成されるとともに、
浮き上がり規制片は、前記回り止め部の頂部から張り出してケーブル保持金具を押さえ付ける庇状形状に形成される請求項２または３記載のシリンダ錠。
【発明の詳細な説明】
【技術分野】
【０００１】
本発明はシリンダ錠に関し、特に、プラグへの回転操作力をワイヤケーブルを介して操作対象に伝達するようにしたシリンダ錠に関するものである。
【背景技術】
【０００２】
ワイヤケーブルを連結可能なシリンダ錠としては、特許文献１に記載のものが知られている。この従来例において、プラグが挿入されるシリンダケースには、ワイヤケーブルのアウタケーブルを係止、保持するためのブラケットが一体形成される。
【０００３】
しかし、上述した従来例において、ブラケットをシリンダケースに一体に形成すると、ブラケット部分、および強度補強ためのリブ等の型抜きが可能な成型金型を必要とするために、成型金型が複雑になり、結果、成型タクトが長くなって製造効率が悪くなるという欠点がある。
【０００４】
また、上記特許文献１には、従来例として、上記ブラケットをシリンダケースに対して別部品として形成し、かしめにより固定するものが示されているが、この場合、特許文献１にも記載されているように、２部品間にがたつきが生じないように、各部品の寸法精度を高める必要がありコスト高となる欠点を有している。
【特許文献１】特許第３７０８１９０号公報
【発明の開示】
【発明が解決しようとする課題】
【０００５】
本発明は、以上の欠点を解消すべくなされたものであって、製造工率の高いシリンダ錠の提供を目的とする。
【課題を解決するための手段】
【０００６】
シリンダ錠Ａはシリンダケース１内にプラグ２を回転自在に挿入して形成され、プラグ２終端にレバー６が連結される。プラグ２への回転操作力、すなわち、レバー６の回転をワイヤケーブル３を介して操作対象に伝達するために、レバー６にはインナケーブル４のワイヤケーブルエンド４ａが、シリンダケース１に固定されるケーブル保持金具９にアウタケーブル８のワイヤケーブルエンド８ａが各々保持される。
【０００７】
十分な保持強度を発揮させるように、ケーブル保持金具９は鋼板、望ましくはアウタケーブル８のワイヤケーブルエンド８ａに形成される装着用嵌合溝８ｂに嵌合可能な板厚の鋼板により形成され、ケース取付部７の中央部においてシリンダケース１にネジ止めされる。また、ケーブル保持金具９はシリンダケース１への装着状態においてケース取付部７の辺縁がシリンダケース１に形成される回り止め部１０に嵌合してネジ軸回りの回転が規制される。
【０００８】
ケーブル保持金具９をシリンダケース１に対して別部品とする本発明において、ケーブル保持金具９の形状等はシリンダケース１を製造する際の成型金型に影響を与えない。この結果、ケーブル保持金具部分を一体成型する場合に比して、成型金型の構造を簡単にすることが可能になる。
【０００９】
また、ケーブル保持金具９は、ネジ止めに加え、ネジ止め箇所から適宜間隔離れた位置においてシリンダケース１側の回り止めに嵌合して回り止めされるために、高い寸法精度を要することなく正確な位置決めが可能になる。
【００１０】
ネジ止め箇所におけるネジ頭部、あるいはワッシャによる押さえつけ面積を十分に広くとれない場合には、シリンダケース１に浮き上がり規制片１２を設けることができる。浮き上がり規制片１２は、ケーブル保持金具９のケース取付部７側縁を押さえつけてネジ軸に直交する軸回りの回転、すなわち、めくり上がりを防止し、全体の強度を向上させる。
【００１１】
これら回り止め部１０と浮き上がり規制片１２を、シリンダケース１外周に膨隆され、表面に平面状の金具支承面１３を形成した金具取付ステージ１４上に集中配置すると、当該金具取付ステージ１４での配置を基準寸法とした他のケーブル保持金具９を連結することが可能になり、汎用性が向上する。
【発明の効果】
【００１２】
本発明によれば、アウタケーブルの保持部をシリンダケースに一体成型することに伴う複雑な成型金型の使用を回避し、さらに上記アウタケーブルの保持部を別部品とすることに伴う高い精度管理の必要を排除することができるために、製造工率を高めることができる。
【発明を実施するための最良の形態】
【００１３】
図１、２に車両のトランクに取り付けられるシリンダ錠Ａを示す。シリンダ錠Ａはシリンダケース１内にプラグ２を回転自在に挿入して形成され、シリンダケース１の外周から突設される翼片状の基体取付部１ａにおいてトランクのパネル１６に固定される。
【００１４】
シリンダ錠Ａを固定するために、パネル１６には装着孔１６ａが開設され、シリンダ錠Ａは、シリンダケース１の後端部（以下、本明細書において、図２（ｂ）において下方を「前」と定義する。）を装着孔１６ａに挿入して基体取付部１ａをパネル１６に当接させた後、該基体取付部１ａをボルト２１により固定して行われる。
【００１５】
装着孔１６ａ周辺に複数の翼片状の基体取付部１ａを配置するための十分なスペースが確保されない場合を想定し、シリンダ錠Ａは、上記基体取付部１ａにおける止着手段に加え、クリップ１７による圧接手段を併用して取付強度等が補われる。クリップ１７による圧接力を効率的に利用するために、基体取付部１ａの基端部は外周部全周にまでフランジ状に延長される。
【００１６】
図４に示すように、クリップ１７は、バネ性に富む薄い鋼板により形成され、押し込み用折り返し片１７ａが形成される連結片１７ｂの両端から弾性脚１７ｃを突出させてコ字形状に形成される。クリップ１７の各弾性脚１７ｃ、１７ｃの対向辺中央部には、回り止め片１７ｄと係止片１７ｅとが折り曲げられる。
【００１７】
図１に示すように、クリップ１７の装着は、シリンダケース１の外周壁に突設されるクリップ支持突部１ｂのパネル１６対向面とパネル１６との隙間にクリップ１７を下方から上方にスライドさせることにより行われる。クリップ１７の弾性脚１７ｃの折り曲げ高さは上記隙間の寸法より大寸に形成されているために、クリップ１７のスライド操作は弾性脚１７ｃの弾性変形を伴い、スライド時に回り止め片１７ｄはクリップ支持突部１ｂに形成されたクリップ装着溝１ｃに嵌合する。この状態からさらにクリップ１７をスライドさせると、係止片１７ｅは一旦弾性変形してクリップ支持突部１ｂを乗り越えた後、弾性復元力により原位置に復帰し、クリップ支持突部１ｂの端面に係止する。
【００１８】
この状態においてシリンダ錠Ａのシリンダケース１は、基体取付部１ａが全面にわたってパネル背面に押しつけられる。シリンダケース１中心部におけるクリップ１７による圧接固定と、シリンダケース１中心部から適宜間隔離隔した基体取付部１ａの翼片状部分の先端におけるネジ締めとを組み合わせることにより、シリンダケース１はずれ、回転等が効率的に防止されて強固に所定位置に保持される。また、クリップ１７装着状態においてクリップ支持突部１ｂの端面に係止する係止片１７ｅは、クリップ１７の不用意な脱落を防止する。
【００１９】
以上のようにしてパネル１６に固定されるシリンダ錠Ａのプラグ２への操作力は、アウタケーブル８内にインナケーブル４を挿通させたワイヤケーブル３を介してトランクリッドロックに連結される。ワイヤケーブル３をシリンダ錠Ａに連結するために、シリンダケース１にはアウタケーブル８のワイヤケーブルエンド８ａを連結するためのケーブル保持金具９が固定される。ケーブル保持金具９は、アウタケーブル８のワイヤケーブルエンド８ａに形成された装着用嵌合溝８ｂに嵌合可能な板厚の金属製板材により形成され、シリンダケース１に固定されるケース取付部７にケーブル保持片９ａを延設して形成される。ケーブル保持片９ａには、アウタケーブル８の装着用嵌合溝８ｂを係止、保持するＵ字凹部９ｂが形成される。
【００２０】
また、ワイヤケーブル３のインナケーブル４は、プラグ２の後端に固定されるレバー６に連結される。図３（ａ）に示すように、インナケーブル４のレバー６への連結は、球形のワイヤケーブルエンド４ａをレバー６のケーブル連結部５に連結して行われる。図３（ａ）、（ｂ）に示すように、ケーブル連結部５は、側方に開口した円孔６ａが形成されたエンド保持片６ｂをレバー主体部６ｃから折り返して形成される。エンド保持片６ｂとレバー主体部６ｃとは、インナケーブル４の挿通が可能な程度の間隔を隔てて正対し、インナケーブル４は、図３（ｂ）に示すように、ワイヤケーブルエンド４ａを円孔６ａ上に載せた状態でインナケーブル４を開口６ｄから挿通させるだけで簡単に装着することができる。
【００２１】
上述したように、シリンダケース１は基体取付部１ａ等を外周に突出させた複雑な外形形状を有し、これを単一部品として成型金型により成型すると、多数の中子等の使用が必要になって成型金型の構造が複雑になる。これを回避して成型金型の構造を簡単にするために、シリンダケース１は、図２（ｂ）に示すように、第１筒体１８と第２筒体１９に２分割して成型した後、連結される。シリンダケース１は、図２（ｂ）に示すように、プラグ２が挿入される挿通孔１ｄが第１筒体１８に属し、基体取付部１ａが第２筒体１９に属するように分割され、第１筒体１８には、図５、６、７に示すように、クリップ支持突部１ｂが形成される。
【００２２】
これら第１、第２筒体１９を正確に連結し、プラグ２の回転中心に対する基体取付部１ａの位置精度を高めるために、第１筒体１８の前端部には、外周に回り止め凹凸１ｆを備えた挿入筒部１ｅが形成される。この挿入筒部１ｅは、第１筒体１８の外周に比して小寸に形成され、第２筒体１９に挿入される。また、第１筒体１８には、ピン挿通孔１ｇが貫通状に穿孔されており、第２筒体１９を連結した状態でピン挿通孔１ｇに連結ピン２０を圧入すると、連結ピン２０は第２筒体１９に形成されたピン受容溝１ｈに嵌合し、両筒体の抜去方向の移動を規制して連結状態を維持する。
【００２３】
さらに、第１筒体１８の後端部には上述したケーブル保持金具９を固定するための金具取付ステージ１４が形成される。金具取付ステージ１４は、表面に平面状の金具支承面１３を備え、金具支承面１３の前端に突起状の回り止め部１０が突設される。
【００２４】
ケーブル保持金具９の固定は、ケーブル保持金具９のケース取付部７の前端縁に形成される嵌合用切欠１５を上記金具取付ステージ１４上の回り止め部１０に嵌合させた後、ケース取付部７の中央部をネジ止めして行われる。嵌合用切欠１５の回り止め部１０への嵌合操作によって、ケーブル保持金具９の嵌合用切欠１５周縁は回り止め部１０の自由端から後方に張り出す浮き上がり規制片１２により押さえつけられる。
【００２５】
この結果、ケーブル保持金具９は、ネジ１１周りの回転が回り止め部１０により、これに直交する方向の回転が、ネジ１１の頭部と、浮き上がり規制片１２とにより規制され、所定位置に強固に固定される。
【図面の簡単な説明】
【００２６】
【図１】本発明のシリンダ錠をパネルに取り付けた状態を示す図で、（ａ）は（ｂ）の１Ａ方向矢視図、（ｂ）は正面図である。
【図２】シリンダ錠を示す図で、（ａ）は図１（ｂ）を裏面方向から見た図、（ｂ）は断面図である。
【図３】ワイヤケーブルを示す図で、（ａ）は正面図、（ｂ）は（ａ）の３Ｂ方向矢視図である。
【図４】クリップを示す図で、（ａ）はシリンダ錠へ取り付けた状態を示す図、（ｂ）は単品図である。
【図５】シリンダケースの組み付けを示す図である。
【図６】シリンダケースの組み付けを示す図５（ａ）の６Ａ方向矢視図である。
【図７】シリンダケースの組み付けを示す図６（ａ）の７Ａ方向矢視図である。
【図８】ケーブル保持金具を示す図で、（ａ）はシリンダケースへの組み付けを示す図、（ｂ）は（ａ）の８Ｂ方向矢視図、（ｃ）は（ｂ）の８Ｃ-８Ｃ線断面図である。
【符号の説明】
【００２７】
１    シリンダケース
２    プラグ
３    ワイヤケーブル
４    インナケーブル
５    ケーブル連結部
６    レバー
７    ケース取付部
８    アウタケーブル
９    ケーブル保持金具
１０  回り止め部
１１  ネジ
１２  浮き上がり規制片
１３  金具支承面
１４  金具取付ステージ
１５  嵌合用切欠
【図１】
0004956475.tif 000002
【図２】
0004956475.tif 000003
【図３】
0004956475.tif 000004
【図４】
0004956475.tif 000005
【図５】
0004956475.tif 000006
【図６】
0004956475.tif 000007
【図７】
0004956475.tif 000008
【図８】
0004956475.tif 000009